(57)【要約】  飲料容器のための加圧装置を製造する方法であって、ガス容器が充填開口を有して提供され、ガス容器内にある量のドライアイスが充填開口を通って挿入され、充填開口が閉鎖された後、ドライアイスは昇華することができる。
2014506551.tif 000002
【特許請求の範囲】
【請求項１】
ガス容器が充填開口を有して提供され、前記ガス容器内にある量のドライアイスが前記充填開口を通って挿入され、前記充填開口が閉鎖された後、前記ドライアイスは昇華することができる、
飲料容器のための加圧装置を製造する方法。
【請求項２】
圧力調整器が前記ガス容器に設けられる、
請求項１に記載の方法。
【請求項３】
前記充填開口は、前記圧力調整器によって閉じられる、
請求項２に記載の方法。
【請求項４】
前記ガス容器内に供給される前記ある量のドライアイスは、昇華後、約６℃の温度で測定されるとき、前記ガス容器の内部圧力が、４と２０バールとの間、好ましくは５と１６バールとの間であるように、前記ガス容器が充填されるようにされる、
請求項１乃至３のいずれか１項に記載の方法。
【請求項５】
ある量のガス吸収及び／又は吸収材料、好ましくは活性炭又はゼオライトが、前記ガス容器内に設けられる、
請求項１乃至４のいずれか１項に記載の方法。
【請求項６】
前記ガス容器は、好ましくは前記ドライアイスが前記ガス容器に供給される前に、前記飲料容器に又は前記飲料容器内に、取り付けられる、
請求項１乃至５のいずれか１項に記載の方法。
【請求項７】
前記ガス容器は、前記ガス容器の一部が前記飲料容器のネック部分を越えて、前記飲料容器の内部空間に延びるように、前記飲料容器のネック部分に吊り下げられ、
好ましくは、前記ガス容器は、前記ドライアイスの昇華によって生成されるガスによって前記内部空間内で膨張する、
請求項６に記載の方法。
【請求項８】
前記ドライアイスは、粉末又は顆粒等、複数の固体要素として前記ガス容器内に供給される、
請求項１乃至７のいずれか１項に記載の方法。
【請求項９】
前記ガス容器は、前記飲料容器にその分配開口で吊り下げられ、
前記ガス容器の充填開口及び前記分配開口は、前記飲料のための分配手段及びガスを前記ガス容器から前記飲料容器に供給するための圧力制御装置を有する共通の蓋によって閉じられる、
請求項１乃至８のいずれか１項に記載の方法。
【請求項１０】
ガス容器を有し、
前記ガス容器は部分的にドライアイスで満たされる、
飲料容器のための圧力調整装置。
【請求項１１】
ガス吸収及び／又は吸収材料が前記ガス容器内に供給される、
請求項１０に記載の圧力調整装置。
【請求項１２】
請求項１０又は１１に記載の圧力調整装置を備える、
飲料容器。
【請求項１３】
前記飲料容器は分配開口を有し、
前記圧力調整装置は、前記飲料容器の前記分配開口に設けられる、
請求項１２に記載の飲料容器。
【請求項１４】
ドライアイスディスペンサが、ある量のドライアイスを飲料容器に設けられた圧力調整装置のガス容器に分配するために設けられる、
飲料容器のための充填ライン。
【請求項１５】
前記充填ラインは搬送方向を持つ飲料容器輸送ラインを有し、
前記ドライアイスディスペンサの上流に、飲料を飲料容器に充填するための充填ヘッドが設けられ、
好ましくは、前記ドライアイスディスペンサの下流に、装置が、少なくとも圧力調整器をガス容器に、より好ましくは、前記ガス容器及び前記飲料容器の上に、配置するために設けられる、
請求項１４に記載の充填ライン。
【発明の詳細な説明】
【技術分野】
【０００１】
本発明は、飲料容器のための圧力調整装置の製造方法に関する。本発明はさらに、圧力調整装置、飲料容器及び飲料容器のための充填ラインに関する。
【背景技術】
【０００２】
特許文献１から、容器内を実質的に一定の圧力に保持するための圧力調整装置を有する飲料容器が知られている。飲料容器は、分配手段を有し得るとともに、タッピング装置、外部ＣＯ２容器及び同様のものから独立して、容器から飲料を分配する準備ができ得る。圧力調整装置のガス容器は、エアゾールバルブを通じて加圧下においてＣＯ２で満たされる。そして、圧力調整器は、エアゾールバルブの開放及び閉鎖を制御するためのガス容器に取り付けられる。
【先行技術文献】
【特許文献】
【０００３】
【特許文献１】欧州特許第１０６４２２１号
【発明の概要】
【発明が解決しようとする課題】
【０００４】
本発明の目的は、圧力調整装置を形成するための代替方法を提供することである。本発明の他の目的は、圧力調整装置を形成するための及び／又は飲料容器を形成するための容易な方法を提供することである。
【０００５】
他の目的は、圧力調整装置及びこのような圧力調整装置を有する飲料容器を提供することである。さらに、目的は、飲料容器のための充填ラインを提供することである。
【課題を解決するための手段】
【０００６】
第１の態様では、説明は、飲料容器のための加圧装置を製造する方法を開示し、ガス容器は、充填開口を有して提供される。ある量のドライアイスが充填開口を通ってガス容器内に挿入される。充填開口は閉鎖され、ドライアイスは昇華することができる。
【０００７】
第２の態様では、説明は、ガス容器を有する、飲料容器のための圧力調整装置を開示する。ガス容器は、部分的にドライアイスで満たされる。
【０００８】
第３の態様では、説明は、飲料容器内の圧力を調整するための圧力調整装置を有する飲料容器を開示する。圧力調整装置は、圧力調整装置内にドライアイス又はドライアイスの昇華から生成されたガスを有する。
【０００９】
第４の態様では、説明は、飲料容器のための充填ラインを開示し、充填ラインにおいて、ドライアイスディスペンサが、ある量のドライアイスを飲料容器に設けられた圧力調整装置のガス容器に分配するために設けられる。
【００１０】
本発明の実施形態は、図面を参照して、本発明の説明のために記載されるものとする。これらの実施形態は、如何なる方法又は形態にも、決して本発明の範囲を限定するものとして理解されるべきではない。
【図面の簡単な説明】
【００１１】
【図１】図１は、ドライアイスを有する圧力調整装置のためのガス容器及び圧力調整器によって閉鎖されたこのようなガス容器を概略的に示す。
【図２】図２は、飲料容器に設けられた図１の圧力調整装置を概略的に示す。
【図３】図３は、飲料容器のネック部分に取り付けられた、飲料容器内の圧力調整装置を概略的に示す。
【図４】図４は、ドライアイス分配ステーションを有する充填ラインを概略的に示す。
【図５】図５は、代替実施形態における、飲料容器のネック部分に取り付けられた、飲料容器内の圧力調整装置を概略的に示す。
【発明を実施するための形態】
【００１２】
本明細書及び図面では、同じ又は同様の要素は同じ又は同様の参照符号を有する。本明細書において、本発明は、特にビールのための、炭酸飲料容器及びそのための圧力調整装置を参照して、具体的に説明される。
【００１３】
本明細書では、ドライアイスは、少なくとも固化ガス、特に固化ＣＯ２を含むものとして理解されなければならない。ドライアイスは、凍結したＣＯ２であり得る。固体の氷は、ＣＯ２が気体から固体に変換されるような温度及び圧力、例えばほぼ大気圧において−７０から−８０℃に加圧された及び／又は冷却されたＣＯ２であり得るとともに、温度が上昇する及び／又は圧力が減少するとき、元に戻る、特に気体に昇華して戻り得る。１キログラムのドライアイス１６は、例えば約５００リットルのＣＯ２ガスに昇華し得る。
【００１４】
本明細書では、例として、本体２及びネック３を有する飲料容器１が示され、ネック３は、分配開口４を定める又は少なくとも分配開口４を有する。飲料容器１は、金属で作られ得るが、好ましくは単層又は多層のプラスチック、例えば、限定されるものではないが、ＰＥＴ又はＰＥＴブレンド、で作られ得る。飲料容器１は、既知の方法で、プリフォームからブロー成形され得る。飲料容器は、例えば数リットル、例えば１から２リットルより大きい体積を有し得る。飲料容器１は、例えば、約５リットル以上、例えば限定されるものではないが、１０リットル超などの内部体積を有し得る。飲料容器１は、例えば約１０と２５リットルの間、例えば約１７リットルなどの内部体積を有し得る。
【００１５】
図１の左側には、ドライアイス１６を含むガス容器６が示される。右手側には、このようなガス容器６を有する、圧力調整装置５が示される。この圧力調整装置５は、例えば上述のように、飲料容器１内に又は飲料容器１のために使用され得る。圧力調整装置５は、ガス容器６及びガス容器６の充填開口８に又はガス容器６の充填開口８の上に取り付けられる圧力調整器７を有し得る。ガス容器６は例えば金属で作られ得る。他の実施形態では、ガス容器６は、プラスチック、例えばＰＥＴ、ＰＥＮ、ＰＥ又はこのような熱可塑性材料で作られ得る。ガス容器６は、本体９及びネック部分１０を有することができ、このネック部分１０は例えば実質的に管状であり得る。ネック部分１０は、例えば外周壁１２の周りに、取付手段１１を有することができ、取付手段１１は、ねじ山１３又は他の要素、例えば、限定されるものではないが、爪手段であり得る。ガス容器６は、ボトルをブロー成形するためのプリフォームの形状及び寸法を実質的に有し得る。フランジ１４がネック部分１０から外側に延びて設けられ得る。ネック部分１０は充填開口８を画定し得る。その機能は以下で説明される。
【００１６】
ガス容器６には、ある量のドライアイス１６が提供される。ドライアイス１６は、例えば顆粒１７等、一連の固体要素として示される。ドライアイスは、粉末、砕かれた氷、ペレット又は同等のものとして提供され得る。他の実施形態では、ドライアイス１６は、単一の固体要素として提供され得る。固体ドライアイスは、ガス容器６内の温度及び圧力がこのような昇華に適切であるとき、ガス容器内で昇華し得る。ドライアイス１６は、充填開口８を通ってガス容器６内に供給され得る。充填開口は、蓋１９によって閉鎖され得る。この蓋１９は、例えば、相補的なねじ山等によって、取付手段１１に取り付けられ得る。蓋１９は、気体、特にドライアイス１６の昇華によって生成されたＣＯ２ガスが、少なくとも制御されない方法でなく、充填開口８を通ってガス容器６を漏出できないように、ガス容器６を閉鎖することができる。
【００１７】
図１の右手側には、圧力調整器７が示される。この圧力調整器７は、蓋１９として、ガス容器６の充填開口８の上に設けられる。圧力調整器７は、周囲に行き渡っている圧力に応じて、例えば開口１８を通って、ガス容器６から周囲に気体が放出されることを可能にする。様々なこのような圧力調整器７が、技術分野で、例えば特許文献１から知られている。このために、圧力調整バルブが調整器７に設けられ得る。代替的には、充填開口８は、例えば圧力調整器７の反対のガス容器の端部から離間して設けられ得る。蓋１９は、右手側に図１に概略的に示されるように、オプションとして、点線で示されるように、ドライアイス１６の供給後に充填開口の上に設けることができ、圧力調整器７は、ガス容器６に予め取付けられ得る又はガス容器６に一体であり得る。ドライアイス１６を使用することの利点は、蓋１９及び／又は圧力調整器７がガス容器６に取り付けられるとき、ガス容器６がほぼ大気圧であることであり得る。
【００１８】
図２に示された実施形態では、圧力調整装置５が飲料容器１内に設けられる。この実施形態では、圧力調整装置５は、飲料容器１の本体２内に配置され得る。圧力調整装置は、容器本体２の壁又は底に固定され得る、又は本体２内に拘束されずに配置され得る。飲料、特にビール等炭酸飲料２１が飲料容器１内に充填され、その後分配ユニット２２が飲料容器のネック３に取り付けられる。分配ユニット２２は、バルブ２３及び分配チューブ２５を持つ操作ノブ２４を有し得る。浸漬チューブ３２がバルブ２３から本体２の底部に延び得る。圧力調整装置５内のドライアイス１６は昇華しガス容器６を加圧する。ドライアイス１６の量は、圧力が大気より上まで、例えば、約６℃の温度において計測された、４と２０バールの間の絶対圧、好ましくは５と１６バールの間まで、増加されるように選択される。圧力は、例えば約１２バールであり得る。飲料容器１内では、特に充填直後のその内部空間では、約１から２バールの圧力が、充填圧力及び／又は飲料の炭酸ガスのために、存在し得る。圧力調整器５は、圧力調整器５が、内部空間の圧力を飲料の平衡圧力、例えば１．２と１．６の間、例えば約１．４バール絶対圧力等に調整するように設計され得る。飲料を容器から分配するとき、圧力は低下する。これは、圧力調整器が作動され、圧力を、例えばＥＰ１２８９８７４に開示される等、所望の平衡圧力に増加させて戻す又は僅かに所望の平衡圧力より上に増加させることを意味する。必要に応じて、材料がガス容器内に吸収のために及び／又はＣＯ２ガスの一部又は全てを吸収するために設けられることができ、したがって、このような材料無しの同じ容器に比べて、同じ量のガスが生成されるとき、ガス容器６内の圧力の上昇を制限する。材料は例えば、活性炭又はゼオライトであり得る。
【００１９】
図３は、飲料容器１の代替実施形態を示し、圧力調整装置５は、容器１のネック３に吊るされ、ガス容器６の本体の一部は飲料容器１の本体２の内部空間内に延びる。この実施形態では、圧力調整器５は、分配装置２３と一体化される。ガス容器６は、フランジ１４によってネック３の自由端の上に置かれ得る。分配装置２３は、分配装置２３がフランジ１４に押し付けられ、したがってフランジ１４をネックに押し付けるとともにガス容器６が気密に閉じられるように、例えば、圧入又は爪手段４０によって、ネック３に取り付けられる。適切なシール３８、３９が必要に応じて設けられ得る。
【００２０】
バルブ２７、例えば特許文献１に記載されたようなエアゾールバルブが分配装置２３の底部２６に設けられ、ガス容器６の内部空間と底部２６の上部の空間２８との間の接続部を形成する。底部２６は、分配装置２３の一体部分であり得る又は、フランジ１４に接続され得る、分離部分であり得る。空間２８の反対側には、圧力調整チャンバ３０の柔軟壁部分２９が設けられ、バルブ２７に支えられる。空間２８内の圧力が調整圧力未満に低下する場合、壁部分２９は、圧力調整チャンバ３０内の圧力によって、バルブ２７に対して押し付けられ、バルブ２７を開き、ガスがガス容器６から空間２８に流れることを許容する。底部２６及びフランジ１４を通って、飲料容器１の内部空間に入る通路３１が設けられる。したがって、圧力平衡が、実質的に空間２８と飲料容器１の内部空間との間に存在する。飲料容器内の圧力が所望の圧力、例えば平衡圧力に戻るとき、壁部分２９は押し戻されバルブ２７は閉じる。
【００２１】
圧力調整チャンバ３０は、密閉チャンバであり得る。代替実施形態では、チャンバ３０から大気圧が行き渡る周囲への通路が設けられ得る。
【００２２】
浸漬チューブ３２が、飲料容器１の内部空間からガス容器６を超え且つフランジ１４を通って分配装置２３内に延びる。分配チューブ２５は、傍接円３５に接続されたアーム３４によって動作可能である、示された実施形態においてホースタイプバルブであり得る、バルブ３３によって浸漬チューブ３２に接続される。図３では、バルブ３３は閉鎖位置で示される。アーム３４を矢印３６の方向に動かすことによって、バルブ３４は開放され、飲料が飲料容器１から浸漬チューブ３２及び分配チューブ２５を通って排出され得る。飲料容器１内の圧力は、前述のように圧力調整器５によって調整される。アーム３４を戻すと、次にバルブ３３再び閉鎖される。明らかに、例えばラインバルブ等、他のタイプのバルブ３３が設けられ得る。バルブ３３を操作するためのほかの手段が設けられ得る。他の実施形態では、バルブ３３は省かれることができ、分配チューブは、例えばＥＰ１２８９８７４に記載されるように、分配ユニットのバルブユニットと協働するように、分配ユニット又はバルブを備え得る又は分配ユニット又はバルブに接続され得る。
【００２３】
図４では、飲料容器１のための充填ライン４１を概略的に開示する。充填ライン４１は、送り方向４３を持つ飲料容器輸送ライン４２を有する。充填ライン４１では、ドライアイスディスペンサ４４が、ある量のドライアイス１６を飲料容器１のために提供される圧力調整装置５のガス容器６内に分配するために設けられる。ドライアイスディスペンサ４４から上流には、飲料を飲料容器１に充填するための充填ヘッド４５が設けられる。好ましくは、ドライアイスディスペンサ４４の下流には、装置４６が、少なくとも圧力調整器５をガス容器６に、より好ましくはガス容器６及び飲料容器１に配置するために設けられる。ドライアイスディスペンサ４４は、例えば、ある量のドライアイス１６を投与するのに、体積又は重量に基づき得る。ディスペンサ４４が重量に基づく場合、特定の重量のドライアイス１６が、ガス容器６に充填開口８を通って分配される。同様に特定の体積がガス容器１に供給され得る。各ガス容器では、同じ量のドライアイス１６が供給され得る。
【００２４】
図４に示された実施形態では、ガス容器６が飲料容器１のネック３に吊り下げられる、又は少なくとも充填開口８が飲料容器１の外側からアクセス可能であるような、飲料容器１が使用される。この実施形態では、飲料容器１は、プラスチックプリフォームからブロー成形され、飲料、特にビールを飲料容器１に充填するための充填ヘッド４５に輸送される。そして、ガス容器６が、飲料容器１の内部空間内に延びるように、容器ディスペンサ４７によって、飲料容器１のネック３に挿入される。次に、ドライアイスディスペンサ４４において、所望の量のドライアイス１６がガス容器６内に供給され、装置４６の後において、圧力調整器を備える分配装置２３が飲料容器１に且つガス容器６の充填開口８の上に取り付けられ、容器１、６を閉鎖し、飲料容器１の使用に備える。
【００２５】
ドライアイスは、例えば、ドライアイスのロッド又は同様の形状への押し出し、ロッドをその後所望の量のドライアイスを容器６に提供するために重さを量られる又は別の方法で測定され得るペレットにペレット化することによって形成された、固体ブロックとして又はペレットとして例えば提供され得る。このために、例えば液体ＣＯ２が、ブロックに及び／又は押出器を介してプレスされ得るパウダースノーを形成するように作られ得る。ドライアイスペレットはそのようなものとして、例えばドライアイス洗浄から知られている。ドライアイスはまた、パウダースノーを作ることによっても形成され得る。このパウダースノーは十分な量を容器６に提供するために測定され得る。パウダースノーは、容器６に入る前に作られ得る又は、例えば、液化ＣＯ２を容器６内に噴射することによって、容器６内で直接作られ得る。
【００２６】
実施形態では、ドライアイスディスペンサ４４は、ドライアイスのサイズを減少させる手段、例えば、特定の量を信頼できる方法で投与するのが容易であり得る、粉末又は顆粒等、より小さい要素又は粒子で形成されたドライアイスに押しつぶす又はすり潰すための押しつぶし又はすり潰し手段を有し得る。
【００２７】
ドライアイス１６の気体への昇華の際、ＣＯ２の体積が増加し、ガス容器６全体を満たすとともに例えば約４バール超に、約６から１２バール等に圧力を増加させる。特に、プラスチック又は薄肉金属ガス容器６が使用される場合、ガス容器６は、飲料容器１内部のその断面が増加し得るように、ガス容器が飲料容器１から引っ込めることができないように、少なくとも部分的に且つ少なくとも僅かに、特に半径方向に膨張する。
【００２８】
図５では、例えば図３の実施形態と同様の容器１の実施形態が示される。ここに具体的に記載されていない要素に関しては、図３及び詳細が参照される。図５の実施形態では、異なる実施形態のガス容器６が使用される。この実施形態では、ガス容器６は、この場合もやはり、容器１のネック３に及び／又は容器１のネック３の上に取り付けられ、内部空間１００内に延びる。内部空間１００は、液体、特に分配されることになる飲料、限定されるものではないが、ビール等の炭酸飲料等で満たされるように提供される。図５の実施形態では、ガス容器６は、ネック３を通って内部空間１００内に挿入され、その端部までガス容器６は、最初は、閉じた底端部を持つ、実質的に管状構造、例えば実質的に円筒形を有する。充填開口１５の近くには、フランジ１４が設けられる。容器１への挿入後、ガス容器は、例えば図５に示されるような最終形状に膨らまされることができ、ガス容器６の本体部分は、ネック３より下のガス容器６の断面が、少なくともガス容器６がネック３を通って取り外すことができないようになるように、少なくとも半径方向に広げられる。好ましくは、ガス容器６は、ガス容器６がネック３の軸方向Ａ−Ａの動きが妨げられるように、本体部分が少なくとも部分的にネック３の直下で容器１の肩部分の内面に接して変形されるように、膨らまされる。
【００２９】
ガス容器６は、技術分野で知られているように、ボトルを延伸ブロー成形するためのプリフォームの形状を最初は実質的に有し得る。ガス容器６は、ねじ山１３を持っていようがいまいが、図１に示されるようなガス容器の形状を最初は実質的に有し得る。
【００３０】
ガス容器を図５に示されるような最終形状に膨らませるために、前述のように、ある量のドライアイス１６がガス容器内に挿入された後、ガス容器６は容器１内に挿入され得る。ドライアイスの量は、十分な圧力がガス容器６内に高められ得るように、上記のように選択され得る。ガス容器は、図３を参照して上記されたように例えば圧力調整器によって、一時的に又は永久的に閉鎖され得る。代替実施形態では、ガス容器は、例えば図１及び２を参照して示されると共に説明されたように、異なる種類の圧力調整器を備え得るとともに、内部空間に完全に挿入され得る。
【００３１】
好ましくは、ガス容器６は、内部空間１００が十分な量の液体、例えばビールで満たされた後に、容器１内に挿入される。その後ガス容器６が、例えば図５に示されるように、所望の形状に膨らまされるとき、液体は内部空間内でのガス容器の本体の膨張によって少なくとも僅かに加圧される。同時に、内部空間１００全体が液体及びガス容器で満たされ、例えば、ＣＯ２ガス又は水を、容器１を閉じる前に液体に挿入するような、技術分野で知られたさらなる手段の必要なしに液体の酸化を防ぐように、内部空間に残された空気は、この変形によって外へ強制されて排出され得る。
【００３２】
ガス容器６を容器１の上方部分に設けることによって、図５に示されるように、ネック３を上にして保持されるとき、液体は容器１の下方部分に強制的に追いやられる。これは、容器１の重心Ｚが例えば図３の実施形態に比べて低くされ、より安定的になることを意味する。
【００３３】
当然、ガス容器６はまた、例えば、加圧下のガスをガス容器内に直接強制的に送り込むことによって等、異なる方法でも膨らまされ得る。
【００３４】
代替実施形態では、圧力調整装置５は、飲料容器１の外側で、ドライアイスで満たされることができ、少なくとも部分的に飲料容器内に挿入された後、分配装置が飲料容器１に取り付けられ得る。他の実施形態では、圧力調整器及び分配装置は、例えば図３に示されるように、一体にされ得るとともに、ドライアイス１６がガス容器６に供給された後、ユニットとして配置され得る。さらに別の実施形態では、ガス容器は、飲料容器の一体部分であり得るとともに、飲料容器１に飲料を充填する前、充填中及び／又は充填後に、所望の量のドライアイスを充填され得る。ドライアイスを収容するための容器６は、例えば、金属又は、限定されるものではないが、ＰＥＴ又はＰＥＮ又はこのようなプラスチックを含むブレンド等のプラスチック、又は任意の他の適切な材料で作られ得る。
【００３５】
例示的な実施形態では、約４グラムの量のドライアイスが約０．１５リットルの内部体積を有する容器６内に挿入される。その後、容器６は閉じられ、ドライアイスは気体に昇華することが可能になる。これは、約１２−１４バール（１２００から１４００ｋＰａ）絶対圧の容器内の圧力に圧縮された、約２リットルのガスをもたらす。これは、直立しているとき、分配チューブを通して、約１リットルの炭酸飲料、特にビールを容器から容器のネック部分を通って排出するのに少なくとも十分である。分配されることになる任意の量の液体に関して、例えば、完全に満たされた容器内の許容可能な初期圧力、限定されるものではないが、逆圧、温度、分配体積、飲料容器形状、液体の種類及び／又は容器６の利用可能なスペース等、分配条件に応じて、適切な量のドライアイスが所望の量の容器に提供され得ることは、当業者には明らかである。
【００３６】
本発明は、本明細書に記載及び／又は開示された実施形態に決して限定されない。これらの実施形態は、単なる例である。多くの変形形態が、開示された実施形態又はその一部の組合せを含む、添付の特許請求の範囲によって定められるような本発明の範囲内で可能である。さらに、例えば、飲料容器は金属又は他の適切な材料又は材料の組合せで作られ得る。また、飲料容器は容器タイプのバッグであり得、飲料はより堅固な外側容器内の柔軟なバッグに提供され、圧力調整器５がバッグと外側容器との間の空間内に通じる。これは、バッグを圧縮し、そこを通って、ＣＯ２ガス等のガスと飲料との接触なしに、飲料を分配する。圧力調整器は、異なる方法で作られ得るとともに、ガス容器及び／又は飲料容器に対して異なる位置に配置され得る。圧力調整装置５は、例えば、部分的に又は完全に飲料容器１の外側に取り付けられえることができ、圧力調整器は飲料容器内の飲料を加圧するために飲料容器に通じる。これらの及び他の代替実施形態も同様に、本願に開示されていると見なされる。
【図１】
2014506551.tif 000003
【図２】
2014506551.tif 000004
【図３】
2014506551.tif 000005
【図４】
2014506551.tif 000006
【図５】
2014506551.tif 000007
【国際調査報告】
2014506551.tif 000008
2014506551.tif 000009